(57)【要約】【課題】現場で可撓性管継手の大径部の内面と管の外面との間隔を採寸し、棒等を切断する手間を省く。また、マンホールの管接続孔と管の中心とがずれていても、容易にこれを修正することができる。加えて安定した保持が得られる。【解決手段】筒状回転体８を回すとそれの両端側に螺合した一対の棒状体２、３が反対方向に伸出又は退入し、該一対の棒状体２、３の夫々の頭部に設けた当て板６、７の間隔が変動するようにした接続用治具１を用いる。大径部１３ａと小径部１３ｂとからなる可撓性管継手１３の小径部１３ｂを管１２に外嵌する。大径部１３ａは拡径固定リング１５をもってマンホール１０の管接続孔１１の内面に圧着する。大径部１３ａの内面と管１２の端末外面との間に、該管１２を挟むようにして前記接続用治具１を少なくとも３個配置する。該接続用治具１によって管１２の端末を適宜の位置に固定する。【選択図】        図４
2004238918.tif 000002
【特許請求の範囲】
【請求項１】
相反する螺旋方向のねじを刻設し、一方側の棒状体の頭部に可撓性管継手の内面に当てがう当て板を設け、他方側の棒状体の頭部にマンホールに接続する管の外面に当てがう当て板を設けた一対の棒状体と、長さ方向の両端側に設けたねじ孔にこれら一対の棒状体の夫々を螺合する筒状回転体とからなり、該筒状回転体の回転に追従して両棒状体の当て板の間隔が変動するようになしたことを特徴とするマンホールの管接続孔への管の接続用治具。
【請求項２】
大径部と小径部とを連成した可撓性管継手を、その小径部を管に外嵌してバンドをもって締め付ける一方、大径部をその内面に円周方向に沿って設けた溝内に嵌めた拡径固定リングをもってマンホールの管接続孔の内面に圧着させ、もってマンホールの管接続孔に管を接続するようになしたマンホールの管接続孔への管の接続方法であって、可撓性管継手の大径部の内面と管の端末外面との間に、該管を挟むようにして該管の円周方向に少なくとも３個の請求項１記載の接続用治具を配置し、該接続用治具をもって管の端末を適宜の位置に固定するようになしたことを特徴とするマンホールの管接続孔への管の接続方法。
【発明の詳細な説明】
【０００１】
【発明の属する技術分野】
本発明はマンホールの管接続孔への管の接続用治具及び接続方法に関するものである。
【０００２】
【従来の技術】
マンホールには下水管等の管を接続するが、それは具体的には、大径部と小径部とを連成した可撓性管継手を、その小径部を管に外嵌してバンドをもって締め付ける一方、大径部を、その内面に円周方向に沿って設けた溝内に嵌めた拡径固定リングをもってマンホールの管接続孔の内面に圧着させ、もってマンホールの管接続孔に管を接続するようになすものである。
【０００３】
そして、このようにして管を接続する場合、管の端末がマンホールの管接続孔の中心に位置するようにする必要があるが、管の端末の保持が不安定であり、ずれ易い。
【０００４】
従来にあっては可撓性管継手と管の端末との間に木片等を差し込み、管の端末を所定の位置に保持固定していた。
【０００５】
【発明が解決しようとする課題】
しかし、斯かる従来の保持固定方法の場合には、次の如き問題点がある。
▲１▼  現場において、先ず可撓性管継手の内面と管の外面との間隔を測定し、次に、それに従って棒や板材を切断しなければならず、そのための手間がかかる点。
▲２▼  また、切断した寸法と実際の寸法との間に誤差があるとき、薄い板材を差し込んだりして調整しなければならず、このための無駄な手間と時間を要する点。
【０００６】
本発明は上記の点に鑑みなされたものであって、管の端末をマンホールの管接続孔の中心に位置するようにして保持固定するに当たり、現場において採寸し、木材等を切断する手間を省き、また微調整が容易にできて中心を出し易く、且つまた安定した保持を得ることができるようになしたマンホールの管接続孔への管の接続用治具及び接続方法を提供せんとするものである。
【０００７】
【課題を解決するための手段】
而して、本発明に係るマンホールの管接続孔への管の接続用治具の特徴は、相反する螺旋方向のねじを刻設し、一方側の棒状体の頭部に可撓性管継手の内面に当てがう当て板を設け、他方側の棒状体の頭部にマンホールに接続する管の外面に当てがう当て板を設けた一対の棒状体と、長さ方向の両端側に設けたねじ孔にこれら一対の棒状体の夫々を螺合する筒状回転体とからなり、該筒状回転体の回転に追従して両棒状体の当て板の間隔が変動するようになしたことにある。
【０００８】
また、本発明に係るマンホールの管接続孔への管の接続方法の特徴は、大径部と小径部とを連成した可撓性管継手を、その小径部を管に外嵌してバンドをもって締め付ける一方、大径部をその内面に円周方向に沿って設けた溝内に嵌めた拡径固定リングをもってマンホールの管接続孔の内面に圧着させ、もってマンホールの管接続孔に管を接続するようになしたマンホールの管接続孔への管の接続方法であって、可撓性管継手の大径部の内面と管の端末外面との間に、該管を挟むようにして該管の円周方向に少なくとも３個の請求項１記載の接続用治具を配置し、該接続用治具をもって管の端末を適宜の位置に固定するようになしたことにある。
【０００９】
【発明の実施の形態】
以下、本発明の実施の形態について図面を参照しつつ説明する。
【００１０】
先ず、マンホールの管接続孔への管の接続用治具について説明すると、図１は分解した状態における斜視図であり、図２は組み立てた状態における斜視図である。
【００１１】
図中、１はマンホールの管接続孔への管の接続用治具であり、後記一対の棒状体と管状回転体とからなるものである。２、３は一対の棒状体である。また、該一対の棒状体２、３は、相反する螺旋方向のねじ４、５を刻設している。そしてまた、本実施形態にあっては、その一方側の棒状体２の頭部には、可撓性管継手の内面に当てがう当て板６を設け、また他方側の棒状体３の頭部には、マンホールに接続する管の外面に当てがう当て板７を設けている。
【００１２】
８は筒状回転体であり、長さ方向の両端部に設けたねじ孔９に前記一対の棒状体２、３の夫々を螺合している。そして、該筒状回転体８の回転に追従して両棒状体２、３の当て板６、７の間隔が変動するようになしている。即ち、筒状回転体８を図上左右方向に回転させると、両棒状体２、３が逆方向に伸出又は退入し、各当て板６、７の相互間隔が開いたり、狭くなったりするものである。
尚、前記接続用治具１は、金属の他、塩化ビニール等の材質にて製造しても、同様の効果が期待できるものである。
【００１３】
次に、図３及び図４を参照しつつ前記接続用治具１を使用したマンホールの管接続孔への管の接続方法について説明する。
【００１４】
図中、１０はマンホール、１１は該マンホール１０に設けた管接続孔である。１２はマンホールに接続する下水管等の管である。１３は大径部１３ａと小径部１３ｂとを連成した可撓性管継手である。そして、該可撓性管継手１３は、小径部１３ｂを管１２に外嵌してバンド１４をもって締め付けると共に、大径部１３ａを、その内面に円周方向に沿って設けた溝１３Ａ内に嵌めた拡径固定リング１５をもってマンホール１０の管接続孔１１の内面に圧着させている。これをもってマンホールの管接続孔に管を接続しているものである。
【００１５】
而して、本接続方法は、上記接続状態において、可撓性管継手１３の大径部１３ａの内面（本実施形態にあっては溝１３Ａ内に嵌めた拡径固定リング１５）と管１２の端末外面との間に、該管１２を挟むようにして該管１２の円周方向に少なくとも３個の前記接続用治具１を配置し、該接続用治具１をもって管１２の端末を適宜の位置に固定するようになすものである。尚、その後は従来と同様に可撓性管継手１３と管１２との隙間にコンクリート等を充填して硬化させるものである。
【００１６】
そしてまた、本接続方法を実施するときには、上記の如く各接続用治具１の夫々の当て板６、７を可撓性管継手１３の大径部１３ａの内面と管１２の端末外面とに当てがうが、このときには、各接続用治具１を可撓性管継手１３の大径部１３ａの内面と管１２の端末外面との間においてこれらの径方向に沿って保持し、その筒状回転体８を適宜の方向に回転させて行う。
【００１７】
そして、このときマンホール１０の管接続孔１１と管１２の中心とがずれているときには、各接続用治具１の筒状回転体８を回すことによって夫々の当て板６、７の間隔を調整すれば、これを簡単に修正することができるものである。且つまた、各接続用治具１をもって挟むようにして支えるものであるから、安定した保持が得られるものである。
尚、本実施形態では、接続用治具１を３個使用したものを例にとって説明したが、この３個に限定されるものではなく、４個以上であっても何ら差し支えない。
【００１８】
【発明の効果】
本発明によれば、管の端末をマンホールの管接続孔の中心に位置するようにして保持固定するに当たり、従来の如く現場において可撓性管継手の大径部の内面と管の外面との間隔を採寸し、そしてその後棒等を切断する手間を省くことができ、もって能率良く接続作業を行うことができるものである。また、各接続用治具の長さ、即ち各当て板の間隔も簡単に調整することができるから、微調整も容易であり、マンホールの管接続孔と管の中心を出し易いものである。また、各接続用治具をもって挟むようにして支えるものであるから、安定した保持が得られるものである。
【図面の簡単な説明】
【図１】本発明に係るマンホールの管接続孔への管の接続用治具の分解した状態における斜視図である。
【図２】本発明に係るマンホールの管接続孔への管の接続用治具の組み立てた状態における斜視図である。
【図３】本発明に係るマンホールの管接続孔への管の接続方法の説明図であり、マンホールの内面側から見た断面図である。
【図４】本発明に係るマンホールの管接続孔への管の接続方法の説明図であり、マンホールの側面側から見た断面図である。
【符号の説明】
１  接続用治具
２、３  一対の棒状体
４、５  ねじ
６、７  当て板
８  筒状回転体
９  ねじ孔
１０  マンホール
１１  管接続孔
１２  管
１３  可撓性管継手
１３ａ  大径部
１３ｂ  小径部
１３Ａ  溝
１４  バンド
１５  拡径固定リング
【図１】
2004238918.tif 000003
【図２】
2004238918.tif 000004
【図３】
2004238918.tif 000005
【図４】
2004238918.tif 000006